(57)【特許請求の範囲】
【請求項１】
配電盤の箱状本体と、この本体上部に固着された平板状の天板と、前記本体と天板との間に収納状態に介挿されこの天板の固着に伴い挟持固定されると共に本体の前面側及び後面側に指向して夫々庇状に突出する前つば体及び後つば体とを具備し、前記各つば体は、天板の本体への固着状態を弛緩することにより本体と天板間をスライド移動により出没可能な構成としたことを特徴とする配電盤の防滴構造。
【発明の詳細な説明】
【発明の属する技術分野】
本発明は、閉鎖配電盤に好適しその本体上部に庇状に突出する防滴用のつば体を備えた配電盤の防滴構造に関する。
【従来の技術】
従来、屋内に設置されたこの種配電盤における防滴構造としては、配電盤本体の天面部分に庇状に突出するつば部を一体に設けてなる構成が供されている。例えば図４に配電盤を輸送等のため梱包状態にした一例を示しているが、その配電盤の防滴構造としては箱状本体１の上部に設けた天井板２の前面側および後面側を、本体１の外形より突出した一体構造をなしていて、所謂屋根の庇状に突出したつば部分２ａを備え、天井板２上に滴下してきた結露水が本体１の操作面に流下しないようにしている。
一方、上記構成の配電盤の梱包輸送時に際しては、その上部における天井板２の庇状に突出するつば部分２ａを保護すべく特殊な専用の当木３で覆うように宛がい、この当木３を介して輸送車の荷台に掛け渡したロープ或いはベルト４などにより緊締して本体１を輸送車に固定している。この場合、通常幾台もの配電盤を積載輸送するため、且つつば部分２ａ同士が衝突しないように各配電盤は側面方向に連接して配置され、各々に上記同様に当木３を介してベルト４により固定されている。
【発明が解決しようとする課題】
上記した従来構成によれば、防滴用に突出した庇状のつば部分２ａを天井板２と一体化してなる簡単な構成としているが、製造元で完成品として製作し据付現地まで輸送する間、その突出するつば部分２ａを有する前後面にわたってベルト４を掛け渡すため、該つば部分２ａにはベルト４の緊締力と共に輸送時の衝撃も加わるが、剛性の当木３が宛がわれていることから曲がったり破損することなく保護される。しかしながら、その保護のために専用の当木３を用意したり、突出した分梱包容積を大きくして輸送時の積載効率を悪くしたり、或いはこれに対処するにはつば部分２ａを極力小さくしたり補強を施こすなどの設計的制約を受け、必ずしも防滴用として満足できない事情も潜在していた。
本発明は上述の事情に鑑みてなされたものであり、従ってその目的は、据付使用時には防滴作用を十分に果たし、且つ梱包輸送時においては邪魔になることなくコンパクト化が図れる配電盤の防滴構造を提供するにある。
【課題を解決するための手段】
上記目的を達成するために、本発明の配電盤の防滴構造は、配電盤の箱状本体と、この本体上部に固着された平板状の天板と、前記本体と天板との間に収納状態に介挿されこの天板の固着に伴い挟持固定されると共に本体の前面側及び後面側に指向して夫々庇状に突出する前つば体及び後つば体とを具備し、前記各つば体は、天板の本体への固着状態を弛緩することにより本体と天板間をスライド移動により出没可能な構成としたことを特徴とする（請求項１）。
斯かる構成によれば、まず梱包輸送時には、各つば体を本体と天板間に収納した状態で天板を本体に強固に固着することで挟持固定される。一方現地などにおける据付時には、天板の固着状態を弛め各つば体を夫々前後面側に引出す。そして本体より庇状に突出した状態で天板を再度強固に固着することによりその位置に挟持固定される。
従って、梱包輸送時には各つば体は本体と天板間に収納されて突出することがないので、本来の配電盤本体自身の梱包のみで済み、従来必要とした当木などの特殊な梱包部材を不要としてコンパクト化も図り得、その分使用材料の節減ができる。しかも輸送時の積載効率も良くなるなど、総じて梱包及び輸送コストの低減が図れる。
勿論、据付後の使用時にあっては、本体より前後面側に庇状に突出した各つば体により防滴作用を十分に発揮でき、且つ本体及び天板間に収納できる範囲内で大きくすることができ、所望の防滴作用が期待できる。
【発明の実施の形態】
（第１の実施の形態）
以下、本発明を両面形の配電盤に適用した第１実施例を示す図１ないし図３を参照して説明する。
図１は据付後の配電盤の使用状態を示す一部切欠した平面図、図２は同側面図、そして図３は梱包前の状態を示す平面図で、１１は金属製の箱状本体で上下段に配したケーブルダクト１２及び機器筐体１３からなり、その上部に後述するつば体を介して矩形の天板１４が例えば４本のボルト１５により固着されている。この天板１４の固着の際、つば体としての前つば体１６及び後つば体１７の２個が組込まれる。
即ち、各つば体１６，１７は、金属製若しくは絶縁部材製にてその平面形状が天板１４の半分以下の大きさの矩形平板状をなした同一形状のもので、前記ボルト１５が挿通する部位に前後面方向に延びる長孔１８が４個形成されていて、天板１４及び各つば体１６，１７を本体１１上部にボルト１５にて締め付けることによって天板１４と本体１１との間に同時に挟持固定される。
尚、上記機器筐体１３内には図示しない配線用遮断器、制御回路及び母線などが設けられており、またケーブルダクト１２は据付け時に機器筐体１３内の母線と接続すべき図示しない電源ケーブルを引き込み、またその前後面側は点検用などのため開口せられ該開口部に蓋１２ａ，１２ｂが着脱可能に被着され閉鎖されている。
しかして上記ボルト１５を弛めることによって、各つば体１６，１７はスライド移動可能となり、従ってボルト１５の軸が長孔１８の長手方向両端部で衝止される間でスライド移動可能な構成にある。
このように本実施例の配電盤の防滴構造は、梱包輸送に際しては図３に示すように、各つば体１６，１７を夫々本体１１の内方側にスライド移動させて、本体１１と天板１４との間に収納し挟持固定された状態とし、図示しないベルトなどの梱包部材を介して積載梱包される。
一方、現地に搬入し屋内に据付ける場合（使用状態）には、梱包を解いた後、全ボルト１５を弛めることによって各つば体１６，１７をスライド移動可能状態とし、夫々本体１１の前後面方向に引き出す。そしてボルト１５の軸部が長孔１８の内端部に衝止される位置まで引き出してから再度ボルト１５を強固に締め付け固定することによって、各つば体１６，１７は本体１１の前後面側に庇状に突出状態に形成保持される。
従って、梱包輸送時には各つば体１６，１７は本体１１と天板１４間に収納されて突出することがないので、本来の配電盤本体１１自身の梱包のみで済み、従来必要とした当木などの特殊な梱包部材を不要とすると共にコンパクト化も図り得、その分使用材料の節減ができる。しかも輸送時の積載効率も良くなるなど、総じて梱包及び輸送コストの低減が図れる。
そして、据付後の屋内での使用時にあっては、温度・湿度変化に伴い生じた結露水が天板１４上に滴下したりするが、本体１１より前後面側に庇状に突出した各つば体１６，１７によりケーブルダクト１２の開口部が位置する前後面、及び両面形の機器筐体１３の操作面側へ伝って滴下することはなく、所望の防滴作用を十分に発揮できる。しかも各つば体１６，１７は梱包輸送時に突出するという問題がないことから所望に大きくでき、確実に防滴効果を得、且つ設計的自由度も大きく設計製造を容易にする。
また、各つば体１６，１７を収納および突出させる所謂出没させるに際し、天板１４及び各つば体１６，１７は着脱する必要がないため、その取り扱いが容易で作業も安全にできる。
尚、上記実施例にあっては、両面形の配電盤につき例示したがこれに限らず、後面側に副次的な制御部を設けてなる配電盤にも採用できる。
その他、ケーブルダクトも必要に応じ設けられるものであるなど、本発明は上記し且つ図面に示した実施例のみに限定されるものではなく、要旨を逸脱しない範囲内にて種々変更して実施できるものである。
【発明の効果】
本発明は以上説明した通り、つば体を必要に応じ出没可能な構成としたことにより、本体より外方に庇状に突出せる防滴用のつば体として本来の用途に十分に有効使用できることはもとより、梱包輸送時においては本体内方に収納させることができ、これが邪魔になることがないのでコンパクト化が図れると共に、特殊な梱包部材を使用せずとも済み梱包作業も容易となるなど取り扱い上至便な配電盤の防滴構造を提供できる。
【図面の簡単な説明】
【図１】  本発明の第１実施例を示す一部切欠した平面図
【図２】  要部の側面図
【図３】  異なる状態を示す図１相当図
【図４】  従来例を示す要部の側面図
【符号の説明】
１１は本体、１４は天板、１６は前つば体、１７は後つば体を示す。
【図１】
0003745122.tif 000002
【図２】
0003745122.tif 000003
【図３】
0003745122.tif 000004
【図４】
0003745122.tif 000005